(57)【要約】【課題】アクセスルータと基地局との間でＩＰパケットをやりとりするタイプの移動通信ネットワークにおいて、移動局が一の基地局のセル領域から他の基地局のセル領域に移動した場合におけるハンドオーバを円滑に行う。【解決手段】アクセスルータと基地局との間でＩＰパケットをやりとりするタイプの移動通信ネットワークにおけるハンドオーバ制御方法であって、移動局からハンドオーバ要求を受け付ける工程と、再送中のパケットおよびスケジューリング待ちのパケットの廃棄、スケジューリング待ちのパケットの廃棄および再送中のパケットの送信完了の待機、もしくは、再送中のパケットおよびスケジューリング待ちのパケットの送信完了の待機を行う工程と、セルを切り替える工程とを備える。【選択図】図１
2007194746.tif 000002
【特許請求の範囲】
【請求項１】
アクセスルータと基地局との間でＩＰパケットをやりとりするタイプの移動通信ネットワークにおけるハンドオーバ制御方法であって、
移動局からハンドオーバ要求を受け付ける工程と、
再送中のパケットおよびスケジューリング待ちのパケットを廃棄する工程と、
セルを切り替える工程とを備えたことを特徴とするハンドオーバ制御方法。
【請求項２】
アクセスルータと基地局との間でＩＰパケットをやりとりするタイプの移動通信ネットワークにおけるハンドオーバ制御方法であって、
移動局からハンドオーバ要求を受け付ける工程と、
スケジューリング待ちのパケットを廃棄する工程と、
再送中のパケットの送信完了を待機する工程と、
セルを切り替える工程とを備えたことを特徴とするハンドオーバ制御方法。
【請求項３】
アクセスルータと基地局との間でＩＰパケットをやりとりするタイプの移動通信ネットワークにおけるハンドオーバ制御方法であって、
移動局からハンドオーバ要求を受け付ける工程と、
再送中のパケットおよびスケジューリング待ちのパケットの送信完了を待機する工程と、
セルを切り替える工程とを備えたことを特徴とするハンドオーバ制御方法。
【請求項４】
請求項１乃至３のいずれか一項に記載のハンドオーバ制御方法において、
旧セルで送信完了したパケットのインデックスを、旧セルから新セルへ有線伝送を用いて通知する工程を備えたことを特徴とするハンドオーバ制御方法。
【請求項５】
請求項１乃至３のいずれか一項に記載のハンドオーバ制御方法において、
旧セルで送信完了したパケットのインデックスを、移動局から新セルへ無線伝送を用いて通知する工程を備えたことを特徴とするハンドオーバ制御方法。
【請求項６】
アクセスルータと基地局との間でＩＰパケットをやりとりするタイプの移動通信ネットワークにおける基地局装置であって、
移動局からハンドオーバ要求を受け付ける手段と、
再送中のパケットおよびスケジューリング待ちのパケットの廃棄、スケジューリング待ちのパケットの廃棄および再送中のパケットの送信完了の待機、もしくは、再送中のパケットおよびスケジューリング待ちのパケットの送信完了の待機を行い、セルを切り替える手段とを備えたことを特徴とする基地局装置。
【請求項７】
請求項６に記載の基地局装置において、
旧セルで送信完了したパケットのインデックスを、旧セルから新セルへ有線伝送を用いて通知する手段を備えたことを特徴とする基地局装置。
【請求項８】
アクセスルータと基地局との間でＩＰパケットをやりとりするタイプの移動通信ネットワークにおける移動局装置であって、
再送中のパケットおよびスケジューリング待ちのパケットの廃棄、スケジューリング待ちのパケットの廃棄および再送中のパケットの送信完了の待機、もしくは、再送中のパケットおよびスケジューリング待ちのパケットの送信完了の待機を行い、基地局に対してハンドオーバ要求を行う手段を備えたことを特徴とする移動局装置。
【請求項９】
請求項８に記載の移動局装置において、
旧セルで送信完了したパケットのインデックスを、旧セルから新セルへ無線伝送を用いて通知する手段を備えたことを特徴とする移動局装置。
【発明の詳細な説明】
【技術分野】
【０００１】
本発明は、移動局が一の基地局のセル領域から他の基地局のセル領域に移動した場合におけるハンドオーバ（ハードハンドオーバ）の制御方法に関する。
【背景技術】
【０００２】
移動通信ネットワークのＩＰ（Internet Protocol）化が進められているが、無線区間においては無線パケットが用いられる。小さいサイズのＩＰパケットは複数束ねられて無線パケットとされ、大きいサイズのＩＰパケットは分割されて無線パケットとされる。
【０００３】
従来のＨＳＤＰＡ（High Speed Downlink Packet Access）においては、基地局の上位に配置される無線ネットワーク制御装置（ＲＮＣ：Radio Network Controller）においてＩＰパケットから無線パケットへのマッピングが行われており、移動局の移動に伴ってハンドオーバ要求がなされた場合、受信完了していない無線パケット（受信確認が得られていない無線パケット）の再送および未送信の無線パケットの送信がハンドオーバ先の基地局において継続して行われる。
【０００４】
なお、出願人は出願時点までに本発明に関連する先行技術文献を発見することができなかった。よって、先行技術文献情報を開示していない。
【発明の開示】
【発明が解決しようとする課題】
【０００５】
ところで、移動通信ネットワーク構築の簡素化等を目的に、高機能な無線ネットワーク制御装置に代え、基地局との間で単にＩＰパケットをやりとりするだけの機能を持ったアクセスルータが用いられる傾向にある。
【０００６】
この場合、移動局の移動に伴ってハンドオーバ要求がなされた場合、受信完了していない無線パケットおよび未送信の無線パケットを管理する上位の装置が存在しないため、ハンドオーバが円滑に行えないという問題があった。
【０００７】
本発明は上記の従来の問題点に鑑み提案されたものであり、その目的とするところは、アクセスルータと基地局との間でＩＰパケットをやりとりするタイプの移動通信ネットワークにおいて、ハンドオーバを円滑に行うことのできるハンドオーバ制御方法を提供することにある。
【課題を解決するための手段】
【０００８】
上記の課題を解決するため、本発明にあっては、請求項１に記載されるように、アクセスルータと基地局との間でＩＰパケットをやりとりするタイプの移動通信ネットワークにおけるハンドオーバ制御方法であって、移動局からハンドオーバ要求を受け付ける工程と、再送中のパケットおよびスケジューリング待ちのパケットを廃棄する工程と、セルを切り替える工程とを備えるハンドオーバ制御方法を要旨としている。
【０００９】
また、請求項２に記載されるように、アクセスルータと基地局との間でＩＰパケットをやりとりするタイプの移動通信ネットワークにおけるハンドオーバ制御方法であって、移動局からハンドオーバ要求を受け付ける工程と、スケジューリング待ちのパケットを廃棄する工程と、再送中のパケットの送信完了を待機する工程と、セルを切り替える工程とを備えるようにすることができる。
【００１０】
また、請求項３に記載されるように、アクセスルータと基地局との間でＩＰパケットをやりとりするタイプの移動通信ネットワークにおけるハンドオーバ制御方法であって、移動局からハンドオーバ要求を受け付ける工程と、再送中のパケットおよびスケジューリング待ちのパケットの送信完了を待機する工程と、セルを切り替える工程とを備えるようにすることができる。
【００１１】
また、請求項４に記載されるように、請求項１乃至３のいずれか一項に記載のハンドオーバ制御方法において、旧セルで送信完了したパケットのインデックスを、旧セルから新セルへ有線伝送を用いて通知する工程を備えるようにすることができる。
【００１２】
また、請求項５に記載されるように、請求項１乃至３のいずれか一項に記載のハンドオーバ制御方法において、旧セルで送信完了したパケットのインデックスを、移動局から新セルへ無線伝送を用いて通知する工程を備えるようにすることができる。
【００１３】
また、請求項６に記載されるように、アクセスルータと基地局との間でＩＰパケットをやりとりするタイプの移動通信ネットワークにおける基地局装置であって、移動局からハンドオーバ要求を受け付ける手段と、再送中のパケットおよびスケジューリング待ちのパケットの廃棄、スケジューリング待ちのパケットの廃棄および再送中のパケットの送信完了の待機、もしくは、再送中のパケットおよびスケジューリング待ちのパケットの送信完了の待機を行い、セルを切り替える手段とを備える基地局装置として構成することができる。
【００１４】
また、請求項７に記載されるように、請求項６に記載の基地局装置において、旧セルで送信完了したパケットのインデックスを、旧セルから新セルへ有線伝送を用いて通知する手段を備えるようにすることができる。
【００１５】
また、請求項８に記載されるように、アクセスルータと基地局との間でＩＰパケットをやりとりするタイプの移動通信ネットワークにおける移動局装置であって、再送中のパケットおよびスケジューリング待ちのパケットの廃棄、スケジューリング待ちのパケットの廃棄および再送中のパケットの送信完了の待機、もしくは、再送中のパケットおよびスケジューリング待ちのパケットの送信完了の待機を行い、基地局に対してハンドオーバ要求を行う手段を備える移動局装置として構成することができる。
【００１６】
また、請求項９に記載されるように、請求項８に記載の移動局装置において、旧セルで送信完了したパケットのインデックスを、旧セルから新セルへ無線伝送を用いて通知する手段を備えるようにすることができる。
【発明の効果】
【００１７】
本発明のハンドオーバ制御方法にあっては、アクセスルータから基地局にＩＰパケットを転送するタイプの移動通信ネットワークにおいて、ハンドオーバを円滑に行うことができる。
【発明を実施するための最良の形態】
【００１８】
以下、本発明の好適な実施形態につき説明する。
【００１９】
図１および図２は本発明の一実施形態にかかる移動通信ネットワークの構成例を示す図であり、図１は下りリンクにおける状態を示し、図２は上りリンクにおける状態を示している。
【００２０】
図１および図２において、アクセスルータ１は有線伝送路２Ａ、２Ｂにより基地局３Ａ、３Ｂと接続され、基地局３Ａ、３Ｂと移動局５は無線伝送路４Ａ、４Ｂにより無線接続される。なお、ここでは移動局５の移動により、基地局３Ａのセル領域（旧セル）内から基地局３Ｂのセル領域（新セル）内に入りつつある状況を想定している。
【００２１】
アクセスルータ１は図示しない他のノードから受け取ったＩＰパケットを基地局３Ａに転送するとともに、基地局３Ａから受け取ったＩＰパケットを他のノードに転送する機能を有している。
【００２２】
また、基地局３Ａは、ＩＰパケットを無線パケットにマッピング（分割・併合）後、送信割り当てが行われていないスケジューリング待ちの無線パケットをバッファするスケジューリングバッファ３０１と、送信済みであるが、移動局５で正しく受信完了していない無線パケットをバッファする再送バッファ３０２とを備えている。
【００２３】
同様に、移動局５についても、ＩＰパケットを無線パケットにマッピング（分割・併合）後、送信割り当てが行われていないスケジューリング待ちの無線パケットをバッファするスケジューリングバッファ５０１と、送信済みであるが、基地局３Ａで正しく受信完了していない無線パケットをバッファする再送バッファ５０２とを備えている。
【００２４】
図３は基地局３Ａ、３Ｂの構成例を示す図である。図３において、基地局３Ａ、３Ｂは、アクセスルータ１からのＩＰパケットをマッピングするＩＰパケットマッピング部３１と、無線パケットのスケジューリングを行うスケジューリング制御部３２と、Ｈｙｂｒｉｄ  ＡＲＱ（Automatic Repeat Request）により無線パケットの再送を行う再送制御部３３とを備えている。スケジューリングバッファ３０１はスケジューリング制御部３２内に設けられ、再送バッファ３０２は再送制御部３３内に設けられている。
【００２５】
また、移動局５からのハンドオーバ要求を受信するハンドオーバ要求受信部３４と、ハンドオーバ要求に応じてセル（基地局）の切り替えを行うセル切り替え制御部３５と、旧セルで送信完了したパケットのインデックスを、旧セルから新セルへ有線伝送を用いて通知するパケットIndex送信部３６とを備えている。
【００２６】
更に、移動局５からの無線パケットを復調する無線パケット復調部３７と、復調した無線パケットからＩＰパケットを組み立てるＩＰパケットデマッピング部３８とを備えている。
【００２７】
図４は移動局５の構成例を示す図である。図４において、移動局５は、基地局３Ａ、３Ｂからの無線パケットを復調する無線パケット復調部５１と、復調した無線パケットからＩＰパケットを組み立てるＩＰパケットデマッピング部５２とを備えている。
【００２８】
また、基地局３Ａ、３Ｂからの無線信号の受信状況等に応じハンドオーバの可否を判断してハンドオーバ要求を行うハンドオーバ要求判定部５３と、旧セルで送信完了したパケットのインデックスを、移動局５側から新セルへ無線伝送を用いて通知するパケットIndex送信部５４とを備えている。なお、基地局３Ａ、３ＢのパケットIndex送信部３６とこのパケットIndex送信部５４はいずれか一方のみを設ければよいが、双方を設けてもよい。
【００２９】
更に、移動局５側で発生したＩＰパケットをマッピングするＩＰパケットマッピング部５５と、無線パケットのスケジューリングを行うスケジューリング制御部５６と、Ｈｙｂｒｉｄ  ＡＲＱにより無線パケットの再送を行う再送制御部５７とを備えている。スケジューリングバッファ５０１はスケジューリング制御部５６内に設けられ、再送バッファ５０２は再送制御部５７内に設けられている。
【００３０】
以下、実施例毎に動作を説明する。
【００３１】
＜第１の実施例＞
この第１の実施例は、再送中の無線パケットおよびスケジューリング待ちの無線パケットを破棄し、ハンドオーバ要求と同時にセル切り替えを行うようにしたものである。
【００３２】
図５は第１の実施例におけるハンドオーバ制御の動作例を示す図であり、下りリンクの動作を示したものである。図５において、移動局５が基地局３Ａのセル領域（旧セル）から基地局３Ｂのセル領域（新セル）に移動した場合を考える。
【００３３】
移動局５は、基地局３Ａおよび基地局３Ｂからの無線信号の受信状況等からハンドオーバが必要であると判断すると、ハンドオーバ要求を基地局３Ａ、３Ｂに発する。この時点で基地局３Ａには、送信割り当てが行われていないスケジューリング待ちの無線パケットがスケジューリングバッファ３０１にバッファされ、受信完了していない無線パケットが再送バッファ３０２にバッファされている。
【００３４】
基地局３Ａは移動局５からハンドオーバ要求を受信すると、スケジューリングバッファ３０１および再送バッファ３０２にバッファされている無線パケットをすべて破棄し、セルの切り替えを行う。そして、ハンドオーバ先の基地局３Ｂにおいてパケット送信をやり直す。なお、送信をやり直すパケットの単位としては、無線パケットとＩＰパケットとがある。
【００３５】
また、基地局３Ｂ（新セル）への送信パケットの伝送には、移動局５が基地局３Ａと基地局３Ｂのほぼ中間地点に差し掛かるころよりバイキャストと呼ばれる方式により、アクセスルータ１から基地局３Ｂと基地局３Ａに同じパケットを伝送する方法、または、基地局３Ａから基地局３Ｂへ未送信のパケットを転送する方法がある。
【００３６】
図６はハンドオーバ制御に際しての基地局３Ａ内の各部間の信号の流れを示す図であり、ハンドオーバ要求受信部３４が移動局５からのハンドオーバ要求を受信すると、セル切り替え制御部３５はスケジューリング制御部３２および再送制御部３３にバッファの破棄を要求すると同時にセルの切り替えを行う。
【００３７】
図７は第１の実施例における上りリンクの動作を示したものである。図７において、移動局５がハンドオーバ要求を発しようとした時点で、移動局５には、送信割り当てが行われていないスケジューリング待ちの無線パケットがスケジューリングバッファ５０１にバッファされ、受信完了していない無線パケットが再送バッファ５０２にバッファされている。
【００３８】
移動局５はハンドオーバ要求を発すると同時に、旧セルへ送信中のパケット（スケジューリングバッファ５０１および再送バッファ５０２にバッファされた無線パケット）をすべて新セルへ送信し直す。なお、送信をやり直すパケットの単位としては、無線パケットとＩＰパケットとがある。
【００３９】
図８はハンドオーバ制御に際しての移動局５内の各部間の信号の流れを示す図であり、ハンドオーバ要求判定部５３はハンドオーバ要求を発すると同時に、スケジューリング制御部５６および再送制御部５７を制御し、スケジューリングバッファ５０１にバッファされたスケジューリング待ちの無線パケットおよび再送バッファ５０２にバッファされた受信完了していない無線パケットを新セルに送信し直す。
【００４０】
この第１の実施例によれば、ハンドオーバ要求と同時にセル切り替えを行うため、ハンドオーバ時の制御遅延を低減できるとともに、受信品質の良好な新セルからパケット送信が行えるためスループット特性の改善が図れるというメリットがある。反面、再送中のパケットがある場合、送信した分のリソースが無駄になるというデメリットもある。
【００４１】
＜第２の実施例＞
この第２の実施例は、再送中の無線パケットの送信完了後にセル切り替えを行うようにしたものである。
【００４２】
図９は第２の実施例におけるハンドオーバ制御の動作例を示す図であり、下りリンクの動作を示したものである。図９において、移動局５が基地局３Ａのセル領域（旧セル）から基地局３Ｂのセル領域（新セル）に移動した場合を考える。
【００４３】
移動局５は、基地局３Ａおよび基地局３Ｂからの無線信号の受信状況等からハンドオーバが必要であると判断すると、ハンドオーバ要求を基地局３Ａ、３Ｂに発する。この時点で基地局３Ａには、送信割り当てが行われていないスケジューリング待ちの無線パケットがスケジューリングバッファ３０１にバッファされ、受信完了していない無線パケットが再送バッファ３０２にバッファされている。
【００４４】
基地局３Ａは移動局５からハンドオーバ要求を受信すると、スケジューリングバッファ３０１にバッファされている無線パケットを破棄するとともに、再送バッファ３０２にバッファされている再送中の無線パケットの送信完了を待機し、セルの切替を行う。そして、未送信のパケットにつきハンドオーバ先の基地局３Ｂにおいてパケット送信をやり直す。なお、送信をやり直すパケットの単位としては、無線パケットとＩＰパケットとがある。
【００４５】
また、基地局３Ｂ（新セル）への送信パケットの伝送には、移動局５が基地局３Ａと基地局３Ｂのほぼ中間地点に差し掛かるころよりバイキャストと呼ばれる方式により、アクセスルータ１から基地局３Ｂと基地局３Ａに同じパケットを伝送する方法、または、基地局３Ａから基地局３Ｂへ未送信のパケットを転送する方法がある。
【００４６】
図１０はハンドオーバ制御に際しての基地局３Ａ内の各部間の信号の流れを示す図であり、ハンドオーバ要求受信部３４が移動局５からのハンドオーバ要求を受信すると、セル切り替え制御部３５はスケジューリング制御部３２にバッファの破棄を要求するとともに、再送制御部３３を監視して再送中のパケットの送信完了を待機する。そして、再送中のパケットの送信完了と同時にセルの切り替えを行う。
【００４７】
図１１は第２の実施例における上りリンクの動作を示したものである。図１１において、移動局５がハンドオーバ要求を発しようとした時点で、移動局５には、送信割り当てが行われていないスケジューリング待ちの無線パケットがスケジューリングバッファ５０１にバッファされ、受信完了していない無線パケットが再送バッファ５０２にバッファされている。
【００４８】
移動局５はハンドオーバ要求を発しようとした場合、スケジューリングバッファ５０１にバッファされている無線パケットの旧セルへの送信を中止するとともに、再送バッファ５０２にバッファされている無線パケットの送信完了を待ってハンドオーバ要求を行い、未送信のパケットにつき新セルに送信をやり直す。なお、送信をやり直すパケットの単位としては、無線パケットとＩＰパケットとがある。
【００４９】
図１２はハンドオーバ制御に際しての移動局５内の各部間の信号の流れを示す図であり、ハンドオーバ要求判定部５３はハンドオーバ要求を発するにあたり、スケジューリング制御部５６にスケジューリング待ちの無線パケットの旧セルへの送信の中止を要求するとともに、再送制御部５７を監視して再送中のパケットの送信完了を待機する。そして、再送中のパケットの送信完了と同時にハンドオーバ要求を行い、未送信のパケットにつき新セルに送信をやり直す。
【００５０】
この第２の実施例によれば、再送中の無線パケットの送信に使用したリソースを有効に利用することが可能であり、Ｈｙｂｒｉｄ  ＡＲＱによるパケット合成の効果が期待できるというメリットがある。反面、再送中の無線パケットを受信品質の劣化した旧セルで送信を行うため、伝送誤りによる再送によってハンドオーバ要求からセル切り替えまでの遅延が増大するというデメリットもある。
【００５１】
＜第３の実施例＞
この第３の実施例は、再送中の無線パケットおよびスケジューリング待ちの無線パケットの送信完了後にセル切り替えを行うようにしたものである。
【００５２】
図１３は第３の実施例におけるハンドオーバ制御の動作例を示す図であり、下りリンクの動作を示したものである。図１３において、移動局５が基地局３Ａのセル領域（旧セル）から基地局３Ｂのセル領域（新セル）に移動した場合を考える。
【００５３】
移動局５は、基地局３Ａおよび基地局３Ｂからの無線信号の受信状況等からハンドオーバが必要であると判断すると、ハンドオーバ要求を基地局３Ａ、３Ｂに発する。この時点で基地局３Ａには、送信割り当てが行われていないスケジューリング待ちの無線パケットがスケジューリングバッファ３０１にバッファされ、受信完了していない無線パケットが再送バッファ３０２にバッファされている。
【００５４】
基地局３Ａは移動局５からハンドオーバ要求を受信すると、スケジューリングバッファ３０１および再送バッファ３０２にバッファされている無線パケットの送信完了を待機し、セルの切替を行う。
【００５５】
また、基地局３Ｂ（新セル）への送信パケットの伝送には、移動局５が基地局３Ａと基地局３Ｂのほぼ中間地点に差し掛かるころよりバイキャストと呼ばれる方式により、アクセスルータ１から基地局３Ｂと基地局３Ａに同じパケットを伝送する方法、または、基地局３Ａから基地局３Ｂへ未送信のパケットを転送する方法がある。
【００５６】
図１４はハンドオーバ制御に際しての基地局３Ａ内の各部間の信号の流れを示す図であり、ハンドオーバ要求受信部３４が移動局５からのハンドオーバ要求を受信すると、セル切り替え制御部３５はスケジューリング制御部３２および再送制御部３３を監視して再送中の無線パケットおよびスケジューリング待ちの無線パケットの送信完了を待機する。そして、パケットの送信完了と同時にセルの切り替えを行う。
【００５７】
図１５は第３の実施例における上りリンクの動作を示したものである。図１５において、移動局５がハンドオーバ要求を発しようとした時点で、移動局５には、送信割り当てが行われていないスケジューリング待ちの無線パケットがスケジューリングバッファ５０１にバッファされ、受信完了していない無線パケットが再送バッファ５０２にバッファされている。
【００５８】
移動局５はハンドオーバ要求を発しようとした場合、スケジューリングバッファ５０１および再送バッファ５０２にバッファされている無線パケットの送信完了を待ってハンドオーバ要求を行う。
【００５９】
図１６はハンドオーバ制御に際しての移動局５内の各部間の信号の流れを示す図であり、ハンドオーバ要求判定部５３はハンドオーバ要求を発するにあたり、スケジューリング制御部５６および再送制御部５７を監視してパケットの送信完了を待機する。そして、パケットの送信完了と同時にハンドオーバ要求を行う。
【００６０】
この第３の実施例によれば、再送中の無線パケットおよびスケジューリング割り当て待ちの無線パケットのすべての送信完了後にセル切り替えを行うため、バッファの管理が容易になるというメリットがある。反面、受信品質の劣化した旧セルで再送中およびスケジューリング割り当て待ちの無線パケットをすべて送信するため、無線パケットの送信完了に時間がかかり、ハンドオーバ要求からセル切り替えまでの遅延が増大するというデメリットもある。
【００６１】
＜第４の実施例＞
この第４の実施例は、旧セルで送信完了したパケットのIndexの通知方法に関するものであり、旧セルから有線伝送路を用いて新セルへ通知するようにしたものである。
【００６２】
図１７は第４の実施例における新セルへのIndexの通知の例を示す図である。図１７において、移動局５が基地局３Ａのセル領域（旧セル）から基地局３Ｂのセル領域（新セル）に移動した場合を考えると、旧セルが送信を完了したパケット番号を保持している基地局３Ａから、有線伝送路２Ａ、アクセスルータ１、有線伝送路２Ｂを経て新セルの基地局３ＢにIndexを通知する。なお、通知に使用するパケットのIndexとしては、無線パケットのパケット番号、ＩＰパケットのパケット番号がある。
【００６３】
ここで、アクセスルータ１からは、移動局５が基地局３Ａと基地局３Ｂのほぼ中間地点に差し掛かるころよりバイキャストと呼ばれる方式により、基地局３Ｂには基地局３Ａと同じＩＰパケットが供給されるため、通知を受けたIndexから送信完了したパケットを認識することができる。
【００６４】
この第４の実施例によれば、有線伝送路で通知するため、伝送誤り遅延を低減可能であるというメリットがある。反面、旧セルでは移動局がパケットを正しく受信したかどうかを正確には把握できないため、重複が生じる可能性があるというデメリットもある。
【００６５】
＜第５の実施例＞
この第５の実施例は、移動局から新セルへ無線伝送で新セルへ通知するようにしたものである。
【００６６】
図１８は第５の実施例における新セルへのIndexの通知の例を示す図である。図１８において、移動局５が基地局３Ａのセル領域（旧セル）から基地局３Ｂのセル領域（新セル）に移動した場合を考えると、旧セルが送信を完了したパケット番号を保持している移動局５から、無線伝送路４Ｂを経て新セルの基地局３ＢにIndexを通知する。なお、通知に使用するパケットのIndexとしては、無線パケットのパケット番号、ＩＰパケットのパケット番号がある。
【００６７】
ここで、アクセスルータ１からは、移動局５が基地局３Ａと基地局３Ｂのほぼ中間地点に差し掛かるころよりバイキャストと呼ばれる方式により、基地局３Ｂには基地局３Ａと同じＩＰパケットが供給されるため、通知を受けたIndexから送信完了したパケットを認識することができる。
【００６８】
この第５の実施例によれば、移動局が正しく受信を完了した正確なパケット番号を通知できるというメリットがある。反面、無線でIndexを通知するため、伝送誤りにより遅延が増大するというデメリットもある。
【００６９】
なお、図１７に示した有線によるIndex通知と図１８に示した無線によるIndex通知とを併用し、より正しいと認められるIndexを採用することで精度を向上させることもできる。
【００７０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００７１】
【図１】本発明の一実施形態にかかる移動通信ネットワークの構成例を示す図（その１）である。
【図２】本発明の一実施形態にかかる移動通信ネットワークの構成例を示す図（その２）である。
【図３】基地局の構成例を示す図である。
【図４】移動局の構成例を示す図である。
【図５】第１の実施例におけるハンドオーバ制御の動作例を示す図（その１）である。
【図６】ハンドオーバ制御に際しての基地局内の各部間の信号の流れを示す図である。
【図７】第１の実施例におけるハンドオーバ制御の動作例を示す図（その２）である。
【図８】ハンドオーバ制御に際しての移動局内の各部間の信号の流れを示す図である。
【図９】第２の実施例におけるハンドオーバ制御の動作例を示す図（その１）である。
【図１０】ハンドオーバ制御に際しての基地局内の各部間の信号の流れを示す図である。
【図１１】第２の実施例におけるハンドオーバ制御の動作例を示す図（その２）である。
【図１２】ハンドオーバ制御に際しての移動局内の各部間の信号の流れを示す図である。
【図１３】第３の実施例におけるハンドオーバ制御の動作例を示す図（その１）である。
【図１４】ハンドオーバ制御に際しての基地局内の各部間の信号の流れを示す図である。
【図１５】第３の実施例におけるハンドオーバ制御の動作例を示す図（その２）である。
【図１６】ハンドオーバ制御に際しての移動局内の各部間の信号の流れを示す図である。
【図１７】第４の実施例における新セルへのIndexの通知の例を示す図である。
【図１８】第５の実施例における新セルへのIndexの通知の例を示す図である。
【符号の説明】
【００７２】
１            アクセスルータ
２Ａ、２Ｂ    有線伝送路
３Ａ、３Ｂ    基地局
３１          ＩＰパケットマッピング部
３２          スケジューリング制御部
３３          再送制御部
３４          ハンドオーバ要求受信部
３５          セル切り替え制御部
３６          パケットIndex送信部
３７          無線パケット復調部
３８          ＩＰパケットデマッピング部
３０１        スケジューリングバッファ
３０２        再送バッファ
４Ａ、４Ｂ    無線伝送路
５            移動局
５１          無線パケット復調部
５２          ＩＰパケットデマッピング部
５３          ハンドオーバ要求判定部
５４          パケットIndex送信部
５５          ＩＰパケットマッピング部
５６          スケジューリング制御部
５７          再送制御部
５０１        スケジューリングバッファ
５０２        再送バッファ
【図１】
2007194746.tif 000003
【図２】
2007194746.tif 000004
【図３】
2007194746.tif 000005
【図４】
2007194746.tif 000006
【図５】
2007194746.tif 000007
【図６】
2007194746.tif 000008
【図７】
2007194746.tif 000009
【図８】
2007194746.tif 000010
【図９】
2007194746.tif 000011
【図１０】
2007194746.tif 000012
【図１１】
2007194746.tif 000013
【図１２】
2007194746.tif 000014
【図１３】
2007194746.tif 000015
【図１４】
2007194746.tif 000016
【図１５】
2007194746.tif 000017
【図１６】
2007194746.tif 000018
【図１７】
2007194746.tif 000019
【図１８】
2007194746.tif 000020